(57)【要約】  周縁部を有し、タバコ産業製品（１）の周囲で折り曲げることができる包装材ブランク（３）を開示する。周縁部の少なくとも一部が非直線形状を有し、包装材ブランク（３）をタバコ産業製品の周囲で折り曲げた際に非直線形状を有する周縁部の少なくとも一部が周縁部の別の部分の上に重なる。
2016514073.tif 000002
【特許請求の範囲】
【請求項１】
周縁部を有し、タバコ産業製品の周囲で折り曲げ可能な包装材ブランクであって、この周縁部の少なくとも一部が非直線形状を有し、この包装材ブランクがタバコ産業製品の周囲で折り曲げられたとき、この周縁部の少なくとも一部がその周縁部の別の部分と重なる包装材ブランク。
【請求項２】
包装材ブランクをタバコ産業製品の周囲で折り曲げたときに、非直線形状を有する周縁部の少なくとも一部は最上部になることを特徴とする請求項１に記載の包装材ブランク。
【請求項３】
包装材ブランクの一部は包装材ブランクの残りから切り離すことができ、取り外すことができる該部分の少なくとも一縁部は非直線形状を有することを特徴とする請求項１または２に記載の包装材ブランク。
【請求項４】
非直線形状がジグザグ状であることを特徴とする請求項１乃至３のいずれか１項に記載の包装材ブランク。
【請求項５】
１パック分の喫煙品とその１パック分の喫煙品を包むための包装材とを含み、該包装材が重なり合う複数の縁部を有する喫煙品パックに挿入される喫煙品の束であって、包装材の少なくとも１つの縁部が非直線形状を有する喫煙品の束。
【請求項６】
包装材の一部は包装材の残りの部分から切り離すことができ、取り外すことができる該部分の少なくとも一縁部は非直線形状を有することを特徴とする請求項５に記載の喫煙品の束。
【請求項７】
非直線形状がジグザグ状であることを特徴とする請求項５または６に記載の喫煙品の束。
【請求項８】
請求項５乃至７のいずれか１項に記載の喫煙品の束を内部に収容する喫煙品パックであって、該パックは本体と非直線形状を有する包装材の一端の上に重なる蓋とを含む喫煙品パック。
【請求項９】
添付図面を参照して実質的に説明された包装材ブランク。
【請求項１０】
添付図面を参照して実質的に説明された喫煙品の束。
【発明の詳細な説明】
【技術分野】
【０００１】
本発明は、タバコ産業製品を包む用途に用いられる包装材ブランクに関する。１パック分の喫煙品を包む用途に用いられる包装材ブランクおよびパックに収容される喫煙品の束もまた開示されている。
【背景技術】
【０００２】
紙巻きタバコ、シガース、シガリロなどの喫煙品は、概して数本がまとめて同梱されており、例えば金属箔でラミネート加工された紙シートなどのシート材の中に包装される。このシート材は喫煙品中のタバコの鮮度と香りを維持するのに役立つ。包装された喫煙品の束はさらに、機械的および環境的なダメージから紙巻きタバコを保護するパックの中に収納される。あらゆる環境的影響から喫煙品を確実に守るため、パックは透明なプラスチック製フィルムに包まれる。
【０００３】
喫煙品に触れようと、ユーザーがプラスチック製フィルムのタブを引っ張ることでプラスチック製フィルムが破けて開く。その後、ユーザーがパックの蓋を開くことでラミネート加工された紙が露出する。その紙は概してミシン目などの線状の脆弱部を備えており、そのためユーザーはミシン目の線に沿って引き裂くことで紙の一部を残りの部分から容易に切り離すことができ、内部に保持されている喫煙品を手にできる。
【発明の概要】
【課題を解決するための手段】
【０００４】
本発明では周縁部を有し、タバコ産業製品の周囲で折り曲げ可能な包装材ブランクであって、この周縁部の少なくとも一部が非直線形状を有し、この包装材ブランクがタバコ産業製品の周囲で折り曲げられたとき、この周縁部の少なくとも一部がその周縁部の別の部分と重なる包装材ブランクが提供される。
【０００５】
ある実施態様では、包装材ブランクをタバコ産業製品の周囲で折り曲げたときに、非直線形状を有する周縁部の少なくとも一部は最上部になる。
【０００６】
ある実施態様では、包装材ブランクの一部は包装材ブランクの残りから切り離すことができ、取り外すことができる該部分の少なくとも一縁部は非直線形状を有する。非直線形状はジグザグ状であっても良い。
【０００７】
本発明では１パック分の喫煙品とその１パック分の喫煙品を包むための包装材とを含み、当該包装材が重なり合う複数の縁部を有する喫煙品パックに挿入される喫煙品の束が提供され、包装材の少なくとも１つの縁部が非直線形状を有する。
【０００８】
ある実施態様では、包装材の一部は包装材の残りの部分から切り離すことができ、取り外すことができる該部分の少なくとも一縁部は非直線形状を有する。
【０００９】
非直線形状はジグザグ状であっても良い。
【００１０】
本発明のさらに別の態様によれば、上述した喫煙品の束を内部に有する喫煙品パックが提供される。当該パックは本体および非直線形状を有する包装材の一端の上に重なる蓋を含む。
【図面の簡単な説明】
【００１１】
【図１】本発明による包装された喫煙品の束を正面から見た透視図である。
【図２】図１で示した包装された喫煙品の束の斜視図である。
【図３】図２で示した包装された喫煙品の束の上面図である。
【図４】１パック分の喫煙品を包装する用途に用いられる包装材ブランクを示す。
【図５】本発明による包装された喫煙品の束の別の実施態様の上面図である。
【図６】本発明の包装された喫煙品の束を梱包するためのパックを示す。
【発明を実施するための形態】
【００１２】
本発明の実施態様を添付図面を参照し、あくまで例示を目的として説明する。
【００１３】
本発明は、喫煙品などのタバコ産業製品を１パック分包む、またはその周囲で折り曲げられる包装材シート／ブランク３に関する。
【００１４】
図を参照すると、図１および２において、喫煙品パックに挿入するため一束にまとめられ包装材に包装された１パック分の喫煙品１が示されている。図４に示すように、包装材は細長い包装材シート／ブランク３で構成され、上記複数の喫煙品が長手方向軸「Ａ」の方向に喫煙品同士が互いに平行に配列されるように１パック分の喫煙品を包んでいる。細長い包装材シート３は金属箔で形成されてもよく、金属箔でラミネート加工された紙で形成されてもよい。
【００１５】
包装材シート／ブランク３は１パック分の喫煙品１を包む。これは前壁４および後壁（図示せず）を形成するように１パック分の喫煙品の周囲で折り曲げられる。ここで、前壁４および後壁は喫煙品の長手方向軸「Ａ」に対して平行である。包装材シート３は喫煙品の燃焼端６に接する底壁５も形成する。さらに包装材シートは、下記に詳述するように、包装された喫煙品の束２の側壁８、９および上壁１１を形成する。
【００１６】
側壁８、９は、前壁４および後壁から束の側部に向かって延び、喫煙品の側部の周囲で折り曲げられ、その上に位置する側部フラップ４ａ、４ｂを含む（図２において右側のものだけ見えている）。前壁４から延びているフラップ４ａは後壁から延びているフラップ４ｂの上に重なっている。
【００１７】
同様に、前壁４、後壁および２つの側壁８、９から延びていて、底壁５と反対方向にある上部フラップ１４ａ、１４ｂ、１４ｃ、１４ｄは、喫煙品の吸い口端７上で折り畳まれ、上壁１１を形成する。側壁８、９から延びている上部フラップ１４ｃ、１４ｄがまず折り畳まれ、その後後壁から延びている上部フラップ１４ｂが折り畳まれ、最後に前壁４から延びている上部フラップ１４ａが他の上部フラップ１４ｂ、１４ｃ、１４ｄの全ての上に重なるように折り畳まれる。
【００１８】
包装材シート３は脆弱線１２を含む。この線は、切り込んだり、ミシン目を入れたり、または穿刺して脆い線を形成して作ることができる。脆弱線１２は、包装材シート３の２つの長辺の間に亘って延び、包装材シートの１つの部分１３を画定している。包装材シート３が１パック分の喫煙品１を包む際、脆弱線１２は前壁４の上およびこれに対応し束の側壁８、９の一部を形成している側部フラップ４ａの上に位置する（図２において１つだけが見えている）。従って、部分１３は１パック分の喫煙品の包装の上端を形成する。
【００１９】
１パック分の喫煙品の包装から部分１３を取り外すため、ユーザーは１パック分の喫煙品２の包装の前壁４から延びている上部フラップ１４ａを引っ張り、脆弱線１２に沿って包装を引き裂くまたは切り離す。ユーザーは喫煙品の長手方向軸「Ａ」と平行な方向、図２および３において矢印（「Ｂ」）で表される方向へ引っ張る。この方向は第１の方向とする。
【００２０】
前壁から延びて上壁１１の一部を形成している上部フラップ１４ａは、図３において最も分かりやすく示されているように、前縁部１４ｅを含む。前縁部１４ｅは、従来の１パック分の喫煙品包装の対応する直線状の前縁部よりも長くなるように、ジグザグ状の形状になっている。前縁部の大まかな方向は１パック分の喫煙品２の包装の前壁４および後壁に対して平行方向である。有利なことに、ジグザグ状でより長くなっている１４ｅは喫煙品の束２およびそれが収容される喫煙品パックの間の摩擦を増大させ、喫煙品パックの蓋が偶発的に開いてしまうリスクを低減させる。
【００２１】
別の実施態様では、図５に示しているように、前壁４から延びるフラップ１４ａの前縁部１５は湾曲している。
【００２２】
最上部に位置する上部フラップ１４ａの前縁部は、上述した経路をたどることまたは形に形成されることに限定されない。当然のことながら最上部にある上部フラップの前縁部の少なくとも一部が非直線状の経路をたどるいかなる構成も本発明の範囲に含まれる。例えば、最上部にある上部フラップ１４ａ、１４ｂの前縁部は波線状または振動状経路をたどってもよい。
【００２３】
本発明は、前壁４から延びた上部フラップ１４ａが最上部に位置することに限定されない。当然のことながら後壁から延びている上部フラップ１４ｂが最上部になってもよい。従って、この実施態様では、後壁から延びている上部フラップ１４ｂは少なくとも一部が非直線状経路をたどるように設計された前縁部を含む。
【００２４】
図示していないが、さらに別の実施態様では、前壁および／または後壁から延びている最上部にある側部フラップ４ａ、４ｂは少なくとも一部が非直線状経路をたどる前縁部を含む。従って、前壁および／または後壁から延び最上部にある側部フラップは、上述したようなジグザグ状、カーブ状、波線状または振動状の経路をたどる前縁部を含む。当然のことながら最上部にある側部フラップおよび上部フラップの前縁部は各自の経路をたどってもよい。
【００２５】
喫煙品の束は喫煙品パック内に収容される。好ましくは、図６に示すように喫煙品パック２０は本体２１と蓋２２とを含み、蓋２２は喫煙品の束に触れられるように開閉することができる。
【００２６】
図１および２を参照して説明した実施態様では、前壁４から延びた最上部にあるフラップの前縁部は、パックが閉じている時は隠れていて、蓋が開いた時に見える。
【００２７】
当然のことながら上述した喫煙品の束２は本明細書において説明したパックに限定されない。喫煙品の束は、包装材に１パック分の喫煙品を包装し、取り外し可能な部分を有することで内部に収容された喫煙品に触れられるあらゆるパックに挿入することができる。
【００２８】
本明細書に用いられる用語「喫煙品」は、タバコ、タバコ派生物、膨張タバコ、再生タバコ、またはタバコ代替え品をベースにしているかに拘わらず紙巻きタバコ、シガー、シガリロなどの喫煙可能な製品および加熱されるが燃焼しない製品を含むが、これらに限定されない。喫煙品には、喫煙者によって吸引される気体流用のフィルタを設けてもよい。
【００２９】
さらに、本発明の包装材ブランクはいかなるタバコ産業製品の周囲で折り曲げることができ、１パック分の喫煙品を包むことに限定されない。
【００３０】
タバコ産業製品は、タバコ産業において製造または販売されるいかなる物品も意味し、典型的には、
ａ）紙巻きタバコ、シガリロ、シガー、パイプ用または手巻き紙巻きタバコ用のタバコ（タバコ、タバコ派生物、膨張タバコ、再生タバコ、またはタバコ代替え品をベースにしているかに拘わらない）、
ｂ）スナフ、スヌース、ハードタバコ、非燃焼熱製品などのタバコ、タバコ派生物、膨張タバコ、再生タバコ、またはタバコ代替え品を導入した非喫煙製品、
ｃ）吸入器、錠剤、ガムなどのその他のニコチン送達手段
を含む。このリストは限定を意図するものではなく、タバコ産業において製造または販売される製品の種類を単に例示したに過ぎない。
【００３１】
タバコ産業パックとは、タバコ産業製品を包含および／または収容することができるいかなるパックも意味する。
【００３２】
様々な課題を解決し技術を発展させることを目的として、図示を含むこの開示全体は、請求項に係る発明を実施して従来よりも優れた喫煙品の束または包装材ブランクを提供し得る種々の実施形態を示している。この開示の利点および特徴は、実施形態という典型的な例を示すことのみであって、包括的および／または排他的ではない。それらは理解を助けるため、および請求された原理を教示するためだけに提出される。それらは全ての請求項に係る発明の典型例ではないと理解されるべきである。このように開示の特定の態様はここでは議論されていない。別の実施形態は本発明の特定の一部としては提示されていないかもしれない。記述されていない別のさらなる実施形態が本発明の一部として利用可能であるかもしれず、これらの別の実施形態を放棄したものと考えるものではない。これら記述されない実施形態の多くは本発明と同一の原理を組み入れるものであり、また他の実施形態も全く同じであると解されるべきである。ゆえに、他の実施形態を利用しても良く、開示の範囲および／またはその意図から外れない限り変更を加えても良いと理解されるべきである。このように実施例および／または実施形態の全てはこの開示全体を通して限定されない。また本明細書で説明した実施形態と説明しなかった実施形態とを比較して推論するべきではない。これらはスペースの節約および繰り返し表現の低減といった目的以外に差はない。種々の実施形態は、説明した要素、成分、特徴、部品、工程、手法などの種々の組み合わせを適宜含んでも良いし、それらのみから構成されても良いし、またはそれらを主に構成されても良い。説明した特徴、要素、実施などの中には１つの実施形態において同時に存在し得ない、相反するものがあっても良い。同様に、いくつかの特徴は開示したある態様では適用可能であるが、他の態様では適用することができない。加えて、この開示は現在請求していない他の発明を含んでいる。出願人は、現在請求していないこれら発明を請求するために追加出願、継続出願、一部継続出願、分割出願および／またはこれらに準ずるものを提出する権利を含む、それら発明に関する全ての権利を保有する。このように、開示の利点、実施形態、例示、機能、特徴、構造および／または他の態様は請求項または請求項の均等物の限定によって定義されるように、開示されたものに限定されない。
【図１】
2016514073.tif 000003
【図２】
2016514073.tif 000004
【図３】
2016514073.tif 000005
【図４】
2016514073.tif 000006
【図５】
2016514073.tif 000007
【図６】
2016514073.tif 000008
【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
周縁部を有し、タバコ産業製品の周囲で折り曲げ可能な包装材ブランクであって、この周縁部の少なくとも一部が非直線形状を有し、この包装材ブランクがタバコ産業製品の周囲で折り曲げられたとき、この周縁部の少なくとも一部がその周縁部の別の部分と重なる包装材ブランク。
【請求項２】
包装材ブランクをタバコ産業製品の周囲で折り曲げたときに、非直線形状を有する周縁部の少なくとも一部は最上部になることを特徴とする請求項１に記載の包装材ブランク。
【請求項３】
包装材ブランクの一部は包装材ブランクの残りから切り離すことができ、取り外すことができる該部分の少なくとも一縁部は非直線形状を有することを特徴とする請求項１または２に記載の包装材ブランク。
【請求項４】
非直線形状がジグザグ状であることを特徴とする請求項１乃至３のいずれか１項に記載の包装材ブランク。
【請求項５】
１パック分の喫煙品とその１パック分の喫煙品を包むための包装材とを含み、該包装材が重なり合う複数の縁部を有する喫煙品パックに挿入される喫煙品の束であって、包装材の少なくとも１つの縁部が非直線形状を有する喫煙品の束。
【請求項６】
包装材の一部は包装材の残りの部分から切り離すことができ、取り外すことができる該部分の少なくとも一縁部は非直線形状を有することを特徴とする請求項５に記載の喫煙品の束。
【請求項７】
非直線形状がジグザグ状であることを特徴とする請求項５または６に記載の喫煙品の束。
【請求項８】
請求項５乃至７のいずれか１項に記載の喫煙品の束を内部に収容する喫煙品パックであって、該パックは本体と非直線形状を有する包装材の一端の上に重なる蓋とを含む喫煙品パック。
【国際調査報告】
2016514073.tif 000009
2016514073.tif 000010